(57)【要約】【課題】  回路規模、消費電力及びコストを抑えつつ、起動の際に初期画像を速やかにディスプレイに表示することができる表示制御装置を提供する。【解決手段】  パネルセルフリフレッシュのためのフレームメモリを有する表示制御装置であって、メモリ格納データ選択部が選択した、初期画像データ記憶部から読み出した初期画像データ又は所定の送信装置から供給された入力画像データの何れかをフレームメモリに書き込むフレームメモリ制御部と、入力画像データ又はＰＳＲ出力制御部がフレームメモリから読み出して出力したデータの何れかを選択して表示部に出力する出力データ選択部と、を含み、送信装置の起動処理中に、メモリ格納データ選択部が初期画像データを選択し、出力データ選択部がＰＳＲ出力制御部から出力されたデータを選択することにより、出力データ選択部は、初期画像データを表示部に出力する。【選択図】  図２
2018128551.tif 000002
【特許請求の範囲】
【請求項１】
パネルセルフリフレッシュのためのフレームメモリを有する表示制御装置であって、
初期画像データを記憶する初期画像データ記憶部と、
前記初期画像データ記憶部から読み出した前記初期画像データ又は所定の送信装置から供給された入力画像データの何れかを選択するメモリ格納データ選択部と、
前記メモリ格納データ選択部が選択した前記初期画像データ又は前記入力画像データを前記フレームメモリに書き込むフレームメモリ制御部と、
前記フレームメモリから読み出した前記初期画像データ又は前記入力画像データを出力するＰＳＲ出力制御部と、
前記入力画像データ又は前記ＰＳＲ出力制御部から出力されたデータの何れかを選択して表示部に出力する出力データ選択部と、
を含み、
前記送信装置の起動処理中に、前記メモリ格納データ選択部が、前記初期画像データを選択し、前記ＰＳＲ出力制御部が前記フレームメモリから読み出した前記初期画像データを出力し、前記出力データ選択部が前記ＰＳＲ出力制御部から出力されたデータを選択することにより、前記出力データ選択部は、前記初期画像データを前記表示部に出力する、
表示制御装置。
【請求項２】
前記送信装置は、前記起動処理中において、初期画像表示制御信号を前記メモリ格納データ選択部、前記ＰＳＲ出力制御部及び前記出力データ選択部に出力し、
前記初期画像表示制御信号を受信する場合に、前記メモリ格納データ選択部は、前記初期画像データを選択し、前記ＰＳＲ出力制御部は、前記フレームメモリから読み出した前記初期画像データを出力し、前記出力データ選択部は、前記ＰＳＲ出力制御部から出力されたデータを選択する、
請求項１に記載の表示制御装置。
【請求項３】
前記初期画像データは、背景設定データ及びロゴデータを含み、
前記初期画像データ記憶部から読み出した前記背景設定データに基づき、ロゴ背景データを生成する背景データ生成部と、
前記初期画像データ記憶部から読み出した前記ロゴデータに基づいてロゴ画像データを生成し、前記ロゴ背景データに、前記ロゴ画像データを合成することで、前記初期画像データを生成して、前記メモリ格納データ選択部に出力するデータ復元部と、
をさらに含む、請求項１又は２に記載の表示制御装置。
【請求項４】
前記ロゴデータは、圧縮された状態で前記初期画像データ記憶部に記憶されており、
前記データ復元部は、前記ロゴデータを伸長することにより前記ロゴ画像データを生成する、請求項３に記載の表示制御装置。
【請求項５】
請求項１〜４の何れか一項に記載の表示制御装置と、
該表示制御装置に前記入力画像データを送信する送信装置と、
を含む、画像表示システム。
【請求項６】
パネルセルフリフレッシュのためのフレームメモリを有する表示制御装置において、初期画像データを表示部に表示する表示制御方法であって、
メモリ格納データ選択部にて、初期画像データ記憶部から読み出した前記初期画像データ又は所定の送信装置から供給された入力画像データの何れかを選択することと、
前記メモリ格納データ選択部にて選択した前記初期画像データ又は前記入力画像データを前記フレームメモリに書き込むことと、
ＰＳＲ出力制御部から、前記フレームメモリから読み出した前記初期画像データ又は前記入力画像データを出力することと、
出力データ選択部により、前記入力画像データ又は前記ＰＳＲ出力制御部から出力されたデータの何れかを選択して前記表示部に出力することと、
を含み、
前記送信装置の起動処理中に、前記メモリ格納データ選択部にて、前記初期画像データを選択し、前記ＰＳＲ出力制御部にて、前記フレームメモリから読み出した前記初期画像データを出力し、前記出力データ選択部にて、前記ＰＳＲ出力制御部から出力されたデータを選択することにより、前記出力データ選択部から、前記初期画像データが前記表示部に出力される、
表示制御方法。
【請求項７】
前記送信装置が、起動処理中において、初期画像表示制御信号を、前記メモリ格納データ選択部、前記ＰＳＲ出力制御部及び前記出力データ選択部に出力することと、
前記初期画像表示制御信号を受信する場合に、前記メモリ格納データ選択部にて、前記初期画像データを選択し、前記ＰＳＲ出力制御部にて、前記フレームメモリから読み出した前記初期画像データを出力し、前記出力データ選択部にて、前記ＰＳＲ出力制御部から出力されたデータを選択することと、
をさらに含む、請求項６に記載の表示制御方法。
【請求項８】
前記初期画像データは、背景設定データ及びロゴデータを含み、
背景データ生成部にて、前記初期画像データ記憶部から読み出した前記背景設定データに基づき、ロゴ背景データを生成することと、
データ復元部にて、前記初期画像データ記憶部から読み出した前記ロゴデータに基づいてロゴ画像データを生成し、前記ロゴ背景データに、前記ロゴ画像データを合成することで、前記初期画像データを生成して、前記メモリ格納データ選択部に出力することと、
をさらに含む、請求項６又は７に記載の表示制御方法。
【請求項９】
前記ロゴデータは、圧縮された状態で前記初期画像データ記憶部に記憶されており、
前記データ復元部にて、前記ロゴデータを伸長することにより前記ロゴデータを生成する、請求項８に記載の表示制御方法。
【発明の詳細な説明】
【技術分野】
【０００１】
本発明は、表示制御装置及び表示制御方法に関し、特に、起動直後の初期画像の表示を制御する表示制御装置及び表示制御方法に関する。
【背景技術】
【０００２】
コンピュータデバイスやモバイル端末のような情報機器においては、一般に、電源投入等による起動直後に、当該情報機器の製品名やこれを製造する企業の名称を示すロゴ等の初期画像が、液晶パネル等のディスプレイに表示される。このような初期画像の表示は、広告的な役割を持つとともに、起動処理の進捗状況の通知を兼ねている。
【０００３】
例えば、下記引用文献１は、画像表示ＬＳＩの初期設定回路が、電源投入時又は起動時に、画像メモリから初期化データを読み出し、この初期化データにより画像表示ＬＳＩ内の各部の制御のため制御用レジスタの初期設定を行い、画像処理シーケンサ１０４が、初期設定回路による初期設定完了後、画像メモリ内のマクロコマンドに従い、ＬＣＤ表示器に初期画面を表示させる技術を開示する。
【０００４】
また、下記特許文献２は、コンピュータ本体側に設けた画像表示用のグラフィックコントローラとは別途に、ディスプレイ装置側にグラフィックコントローラを設けるとともに、画面保護用データを格納したメモリを設け、コンピュータ本体側の動作状態に依存することなく、ディスプレイ装置側のみでスクリーンセーバーを起動できるようにする技術を開示する。
【０００５】
ところで、近年、ビデオインターフェース規格であるディスプレイポート（DisplayPort）に準拠した液晶ディスプレイ等のディスプレイが普及しつつある。特に、エンベディッドディスプレイポート（embedded DisplayPort；以下「ｅＤＰ」という。）は、情報機器の内部配線を考慮して策定された規格であり、ｅＤＰ  ｖ１．３以降は、パネルセルフリフレッシュ（Panel Self-Refresh；以下「ＰＳＲ」という。）技術を含む。ＰＳＲ技術は、ディスプレイ内部のメモリを利用して画面表示を行うので、電力消費を最小化し、情報機器のバッテリ駆動時間を格段に増やすことができる。
【先行技術文献】
【特許文献】
【０００６】
【特許文献１】特開２０１４−４８６４７号公報
【特許文献２】特開平１１−２３１８５０号公報
【発明の概要】
【発明が解決しようとする課題】
【０００７】
情報機器による起動直後の初期画像のユーザへの提供は、起動処理が正常に進行していることを示すことでユーザに安心感を与え、また、その待ち時間に対するストレスを緩和させることから、初期画像の表示は、起動直後のできるだけ速いタイミングでなされることが望ましい。
【０００８】
上述したような従来の技術は、ＰＳＲ技術を用いたものでなく、起動の際にディスプレイに初期画像を表示させるためには、圧縮した初期画像データを伸長するために、ＰＳＲ用のフレームメモリとは別個のメモリを設ける必要があった。このような別個のメモリを設けることは、回路規模及び消費電力の増大を招き、ひいては、製造コストが増大するという問題があった。
【０００９】
そこで、本発明は、回路規模、消費電力及びコストを抑えつつ、起動の際に初期画像を速やかにディスプレイに表示することができる表示制御装置及び表示制御方法を提供することを目的とする。
【課題を解決するための手段】
【００１０】
上記課題を解決するための本発明は、以下に示す発明特定事項乃至は技術的特徴を含んで構成される。
【００１１】
すなわち、ある観点に従う発明は、パネルセルフリフレッシュのためのフレームメモリを有する表示制御装置である。かかる表示制御装置は、初期画像データを記憶する初期画像データ記憶部と、前記初期画像データ記憶部から読み出した前記初期画像データ又は所定の送信装置から供給された入力画像データの何れかを選択するメモリ格納データ選択部と、前記メモリ格納データ選択部が選択した前記初期画像データ又は前記入力画像データを前記フレームメモリに書き込むフレームメモリ制御部と、前記フレームメモリから読み出した前記初期画像データ又は前記入力画像データを出力するＰＳＲ出力制御部と、前記入力画像データ又は前記ＰＳＲ出力制御部から出力されたデータの何れかを選択して表示部に出力する出力データ選択部と、を含み、前記送信装置の起動処理中に、前記メモリ格納データ選択部が、前記初期画像データを選択し、前記ＰＳＲ出力制御部が前記フレームメモリから読み出した前記初期画像データを出力し、前記出力データ選択部が前記ＰＳＲ出力制御部から出力されたデータを選択することにより、前記出力データ選択部は、前記初期画像データを前記表示部に出力する。
【００１２】
ここで、前記送信装置は、前記起動処理中において、初期画像表示制御信号を前記メモリ格納データ選択部、前記ＰＳＲ出力制御部及び前記出力データ選択部に出力し、前記初期画像表示制御信号を受信する場合に、前記メモリ格納データ選択部は、前記初期画像データを選択し、前記ＰＳＲ出力制御部は、前記フレームメモリから読み出した前記初期画像データを出力し、前記出力データ選択部は、前記ＰＳＲ出力制御部から出力されたデータを選択し得る。
【００１３】
また、前記初期画像データは、背景設定データ及びロゴデータを含み、前記初期画像データ記憶部から読み出した前記背景設定データに基づき、ロゴ背景データを生成する背景データ生成部と、前記初期画像データ記憶部から読み出した前記ロゴデータに基づいてロゴ画像データを生成し、前記ロゴ背景データに、前記ロゴ画像データを合成することで、前記初期画像データを生成して、前記メモリ格納データ選択部に出力するデータ復元部と、をさらに含み得る。
【００１４】
また、前記ロゴデータは、圧縮された状態で前記初期画像データ記憶部に記憶されており、前記データ復元部は、前記ロゴデータを伸長することにより前記ロゴ画像データを生成し得る。
【００１５】
また、ある観点に従う発明は、上記何れかの表示制御装置と、該表示制御装置に前記入力画像データを送信する送信装置と、を含む、画像表示システムである。
【００１６】
また、ある観点に従う発明は、パネルセルフリフレッシュのためのフレームメモリを有する表示制御装置において、初期画像データを表示部に表示する表示制御方法である。かかる表示制御方法は、メモリ格納データ選択部にて、初期画像データ記憶部から読み出した前記初期画像データ又は所定の送信装置から供給された入力画像データの何れかを選択することと、前記メモリ格納データ選択部にて選択した前記初期画像データ又は前記入力画像データを前記フレームメモリに書き込むことと、ＰＳＲ出力制御部にて、前記フレームメモリから読み出した前記初期画像データ又は前記入力画像データを出力することと、出力データ選択部にて、前記入力画像データ又は前記ＰＳＲ出力制御部から出力されたデータの何れかを選択し前記表示部に出力することと、を含み、前記送信装置の起動処理中に、前記メモリ格納データ選択部にて、前記初期画像データを選択し、前記ＰＳＲ出力制御部にて、前記フレームメモリから読み出した前記初期画像データを出力し、前記出力データ選択部にて、前記ＰＳＲ出力制御部から出力されたデータを選択することにより、前記出力データ選択部から、前記初期画像データが前記表示部に出力される。
【００１７】
また、前記送信装置が、起動処理中において、初期画像表示制御信号を、前記メモリ格納データ選択部、前記ＰＳＲ出力制御部及び前記出力データ選択部に出力することと、前記初期画像表示制御信号を受信する場合に、前記メモリ格納データ選択部にて、前記初期画像データを選択し、前記ＰＳＲ出力制御部にて、前記フレームメモリから読み出した前記初期画像データを出力し、前記出力データ選択部にて、前記ＰＳＲ出力制御部から出力されたデータを選択することと、をさらに含み得る。
【００１８】
また、前記初期画像データは、背景設定データ及びロゴデータを含み、背景データ生成部にて、前記初期画像データ記憶部から読み出した前記背景設定データに基づき、ロゴ背景データを生成することと、データ復元部にて、前記初期画像データ記憶部から読み出した前記ロゴデータに基づいてロゴ画像データを生成し、前記ロゴ背景データに、前記ロゴ画像データを合成することで、前記初期画像データを生成して、前記メモリ格納データ選択部に出力することと、をさらに含み得る。
【００１９】
また、前記ロゴデータは、圧縮された状態で前記初期画像データ記憶部に記憶されており、前記データ復元部にて、前記ロゴデータを伸長することにより前記ロゴデータを生成し得る。
【発明の効果】
【００２０】
本発明によれば、回路規模、消費電力及びコストを抑えつつ、起動の際に初期画像を速やかにディスプレイに表示することができる表示制御装置及び表示制御方法を提供できる。
【００２１】
本発明の他の技術的特徴、目的、及び作用効果乃至は利点は、添付した図面を参照して説明される以下の実施形態により明らかにされる。
【図面の簡単な説明】
【００２２】
【図１】本発明の一実施形態に係る画像表示システムを説明するためのブロックダイアグラムである。
【図２】本発明の一実施形態に係るディスプレイポート部を説明するためのブロックダイアグラムである。
【図３】本発明の一実施形態に係る画像表示システムの各部の動作を示すタイミングチャートである。
【図４】本発明の一実施形態に係る表示制御方法を説明するフローチャートである。
【発明を実施するための形態】
【００２３】
以下、図面を参照して本発明の実施の形態を説明する。ただし、以下に説明する実施形態は、あくまでも例示であり、以下に明示しない種々の変形や技術の適用を排除する意図はない。本発明は、その趣旨を逸脱しない範囲で種々変形（例えば各実施形態を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００２４】
図１は、本発明の一実施形態に係る画像表示システムの概略構成図の一例を示すブロックダイアグラムである。同図に示すように、本実施形態に係る画像表示システム１は、例えば、送信装置１０と表示制御装置２０とを含んで構成される。
【００２５】
送信装置１０は、ｅＤＰのソース機器であり、例えばパーソナルコンピュータ等であるが、これに限定されない。送信装置１０は、ＣＰＵ（Ｃｅｎｔｒａｌ  Ｐｒｏｃｅｓｓｉｎｇ  Ｕｎｉｔ）１１と、ＧＰＵ（Ｇｒａｐｈｉｃｓ  Ｐｒｏｃｅｓｓｉｎｇ  Ｕｎｉｔ）１２とを備える。また、図示していないが、送信装置１０は、ＣＰＵ１１及びＧＰＵ１２の利用に供されるメモリを備える。
【００２６】
ＣＰＵ１１は、送信装置１０全体の制御を行うコンポーネントである。ＣＰＵ１１は、例えば、ＯＳの制御の下、各種のプログラムを実行する。本実施形態では、ＣＰＵ１１は、画像表示システム１の起動の際、表示制御装置２０に対して初期画像表示制御信号ＩＣＳを出力する。
【００２７】
ＧＰＵ１２は、ＣＰＵ１１の制御の下、画像処理を行うコンポーネントである。本実施形態では、ＧＰＵ１２は、ＣＰＵ１１から供給される各種コマンドに応じて、ｅＤＰに準拠した第１入力画像データ信号ＩＩＳ１を生成し、表示制御装置２０に出力する。
【００２８】
表示制御装置２０は、ｅＤＰのシンク機器であり、例えばディスプレイ等であるが、これに限定されない。表示制御装置２０は、例えば、ディスプレイポート部２１と、処理部２２と、初期情報記憶部２３と、メモリ制御部２４と、フレームメモリ２５と、表示部２６とを含んで構成される。
【００２９】
ディスプレイポート部２１は、送信装置１０から供給される各信号を受信するインターフェース回路であり、動画像信号又は静止画像信号を選択して出力する。本実施形態では、ディスプレイポート部２１は、送信装置１０から供給される第１入力画像データ信号ＩＩＳ１に基づいて、表示部２６に表示すべき画像データを選択してディスプレイポート出力画像データ信号ＤＯＩＳとして処理部２２に出力する。また、ディスプレイポート部２１は、フレームメモリ２５に、第１入力画像データ信号ＩＩＳ１に従う静止画像データ等を書き込むとともに読み出す。なお、ディスプレイポート部２１の構成の詳細については後述する。
【００３０】
処理部２２は、ディスプレイポート部２１から供給される信号に基づき所定の画像処理を行った信号を生成し出力する。本実施形態では、ディスプレイポート部２１から出力されるディスプレイポート出力画像データ信号ＤＯＩＳに対し、所定の画像処理を行った出力画像データ信号ＯＩＳを生成して表示部２６に出力する。また、処理部２２は、表示部２６を駆動するためのドライバ制御信号ＤＣＳを生成して、表示部２６に出力する。
【００３１】
初期情報記憶部２３は、例えばフラッシュメモリであるが、これに限定されない。本実施形態では、初期情報記憶部２３は、ディスプレイポート部２１及び処理部２２の初期設定や、初期画像データの生成等に必要なデータを記憶する。なお、初期情報記憶部２３は、初期画像データ記憶部を構成する。
【００３２】
メモリ制御部２４は、初期情報記憶部２３からのデータの読み出しを制御する。本実施形態では、メモリ制御部２４は、ディスプレイポート部２１及び処理部２２の要求に応じ、初期情報記憶部２３に記憶されているデータを読み出して、ディスプレイポート部２１及び処理部２２に出力する。
である。
【００３３】
フレームメモリ２５は、ｅＤＰ  ｖ１．３以降に含まれるＰＳＲ技術を実現するために設けられる静止画像データ等を記憶するためのメモリである。本実施形態では、フレームメモリ２５は、ディスプレイポート部２１から出力される静止画像データ等を記憶するとともに、記憶している静止画像データ等をディスプレイポート部２１に出力する。
【００３４】
表示部２６は、例えば、液晶表示パネルや有機エレクトロルミネッセンス表示パネルであるが、これらに限定されない。本実施形態では、表示部２６は、処理部２２から供給される出力画像データ信号ＯＩＳに従う画像を表示する。なお、表示部２６は、本例において表示制御装置２０内に設けられているが、これに限られるものでない。表示部２６は、表示制御装置２０とは別体に設けられても良い。
【００３５】
図２は、本発明の一実施形態に係るディスプレイポート部の概略構成図の一例を示すブロックダイアグラムである。同図に示すように、本実施形態に係るディスプレイポート部２１は、例えば、データ受信部２１１と、背景データ生成部２１２と、データ復元部２１３と、メモリ格納データ選択部２１４と、フレームメモリ制御部２１５と、ＯＲ回路２１６と、ＰＳＲ出力制御部２１７と、出力データ選択部２１８とを含んで構成される。
【００３６】
データ受信部２１１は、ＧＰＵ１２から供給される第１入力画像データ信号ＩＩＳ１に基づいて第１ＰＳＲ制御信号ＰＣＳ１を生成する。具体的には、データ受信部２１１は、第１入力画像データ信号ＩＩＳ１が静止画像データであるか否かを判断し、静止画像データである場合に第１の状態（例えば“Ｈ”）となる第１ＰＳＲ制御信号ＰＣＳ１を生成し、ＯＲ回路２１６に出力する。また、データ受信部２１１は、第１入力画像データ信号ＩＩＳ１の画像データ信号のみを第２入力画像データ信号ＩＩＳ２として、メモリ格納データ選択部２１４及び出力データ選択部２１８に出力する。
【００３７】
背景データ生成部２１２は、メモリ制御部２４の制御の下で初期情報記憶部２３から読み出される背景設定データに基づき、ロゴ背景データを生成する。例えば、背景データ生成部２１２は、背景設定データの値に応じた色のロゴ背景データを生成し、データ復元部２１３に出力する。
【００３８】
データ復元部２１３は、メモリ制御部２４の制御の下で初期情報記憶部２３から読み出されるロゴデータに基づき、ロゴ画像データを生成し、背景データ生成部２１２から供給されたロゴ背景データにロゴ画像データを合成して初期画像データ信号ＩＴＩＳを生成する。例えば、データ復元部２１３は、圧縮された状態で初期情報記憶部２３に記憶されているロゴデータを伸長し、ロゴの表示位置、圧縮されているロゴデータの伸長の進捗にあわせて、背景データ生成部２１２からロゴ背景データの供給を受け、該ロゴ背景データにロゴ画像データを合成して初期画像データ信号ＩＴＩＳを生成する。データ復元部２１３は、生成した初期画像データ信号ＩＴＩＳを、メモリ格納データ選択部２１４に出力する。
【００３９】
メモリ格納データ選択部２１４は、データ受信部２１１から供給された第２入力画像データ信号ＩＩＳ２とデータ復元部２１３から供給された初期画像データ信号ＩＴＩＳとのうち、何れか一方をＣＰＵ１１から供給される初期画像表示制御信号ＩＣＳに基づき選択し、フレームメモリ制御部２１５に出力する。具体的には、メモリ格納データ選択部２１４は、初期画像表示制御信号ＩＣＳが、ＣＰＵ１１の起動中を示す第１の状態（例えば“Ｈ”）である場合に、データ復元部２１３から供給される初期画像データ信号ＩＴＩＳを選択し、フレームメモリ制御部２１５に出力する。一方、メモリ格納データ選択部２１４は、ＣＰＵ１１の起動が完了したことを示す第２の状態（例えば“Ｌ”）である場合に、データ受信部２１１から供給された第２入力画像データ信号ＩＩＳ２を選択し、フレームメモリ制御部２１５に出力する。
【００４０】
フレームメモリ制御部２１５は、メモリ格納データ選択部２１４から供給された第２入力画像データ信号ＩＩＳ２又は初期画像データ信号ＩＴＩＳに基づくデータを、フレームメモリ２５に書き込む。また、フレームメモリ制御部２１５は、ＰＳＲ出力制御部２１７からの要求に応じて、フレームメモリ２５に記憶されているデータを読み出して、該データに基づく第２入力画像データ信号ＩＩＳ２又は初期画像データ信号ＩＴＩＳをＰＳＲ出力制御部２１７に出力する。
【００４１】
ＯＲ回路２１６は、データ受信部２１１から供給される第１ＰＳＲ制御信号ＰＣＳ１及びＣＰＵ１１から供給される初期画像表示制御信号ＩＣＳに基づき、第２ＰＳＲ制御信号ＰＣＳ２を生成して、ＰＳＲ出力制御部２１７及び出力データ選択部２１８に出力する。具体的には、ＯＲ回路２１６は、第１ＰＳＲ制御信号ＰＣＳ１及び初期画像表示制御信号ＩＣＳの少なくとも一方が第１の状態（例えば“Ｈ”）である場合、第１の状態（例えば“Ｈ”）である第２ＰＳＲ制御信号ＰＣＳ２を生成して、ＰＳＲ出力制御部２１７及び出力データ選択部２１８に出力する。一方、ＯＲ回路２１６は、第１ＰＳＲ制御信号ＰＣＳ１及び初期画像表示制御信号ＩＣＳの両方が第２の状態（例えば“Ｌ”）である場合、第２の状態（例えば“Ｌ”）である第２ＰＳＲ制御信号ＰＣＳ２を生成して、ＰＳＲ出力制御部２１７及び出力データ選択部２１８に出力する。
【００４２】
ＰＳＲ出力制御部２１７は、ＯＲ回路２１６から供給される第２ＰＳＲ制御信号ＰＣＳ２が第１の状態（例えば“Ｈ”）である場合、フレームメモリ制御部２１５にフレームメモリ２５からのデータの読み出しを要求する。そして、ＰＳＲ出力制御部２１７は、フレームメモリ制御部２１５の制御の下で、フレームメモリ２５から読み出されるデータに基づく第２入力画像データ信号ＩＩＳ２又は初期画像データ信号ＩＴＩＳを、出力データ選択部２１８に出力する。
【００４３】
出力データ選択部２１８は、ＯＲ回路２１６から供給される第２ＰＳＲ制御信号ＰＣＳ２に応じて、データ受信部２１１から供給される第２入力画像データ信号ＩＩＳ２、或いは、ＰＳＲ出力制御部２１７から供給される第２入力画像データ信号ＩＩＳ２又は初期画像データ信号ＩＴＩＳを選択し、ディスプレイポート出力画像データ信号ＤＯＩＳとして処理部２２に出力する。具体的には、出力データ選択部２１８は、第２ＰＳＲ制御信号ＰＣＳ２が第１の状態（例えば“Ｈ”）である場合、ＰＳＲ出力制御部２１７から供給される第２入力画像データ信号ＩＩＳ２又は初期画像データ信号ＩＴＩＳを選択し、ディスプレイポート出力画像データ信号ＤＯＩＳとして処理部２２に出力する。一方、出力データ選択部２１８は、第２ＰＳＲ制御信号ＰＣＳ２が第２の状態（例えば“Ｌ”）である場合、データ受信部２１１から供給される第２入力画像データ信号ＩＩＳ２を選択し、ディスプレイポート出力画像データ信号ＤＯＩＳとして処理部２２に出力する。
【００４４】
図３は、本発明の一実施形態に係る画像表示システムの各部の動作を示すタイミングチャートである。
【００４５】
同図を参照して、画像表示システム１に電源が投入されると（時刻ｔ３０１）、ＣＰＵ１１は、その起動中にわたり第１の状態（例えば“Ｈ”）となる初期画像表示制御信号ＩＣＳを生成してメモリ格納データ選択部２１４及びＯＲ回路２１６に出力する。データ受信部２１１、背景データ生成部２１２、データ復元部２１３及び処理部２２は、メモリ制御部２４の制御の下で、初期情報記憶部２３から読み出される初期設定に必要なデータに基づき、初期設定を行う。表示部２６は、その時点では、何も表示しない（図中において、「黒表示」と記載されている。）。
【００４６】
データ受信部２１１、背景データ生成部２１２、データ復元部２１３及び処理部２２の初期設定完了後（時刻ｔ３０２）、背景データ生成部２１２は、メモリ制御部２４の制御の下で、初期情報記憶部２３から読み出される背景設定データに基づき、ロゴ背景データを生成し、データ復元部２１３におけるロゴデータの伸長等の進捗にあわせて、データ復元部２１３に出力する。また、データ復元部２１３は、メモリ制御部２４の制御の下で、初期情報記憶部２３から読み出される、圧縮された状態のロゴデータを伸長してロゴ画像データを生成し、更に、該ロゴ画像データを、背景データ生成部２１２から供給されたロゴ背景データと合成して初期画像データ信号ＩＴＩＳを生成し、メモリ格納データ選択部２１４に出力する。
【００４７】
メモリ格納データ選択部２１４は、初期画像表示制御信号ＩＣＳが第１の状態（例えば“Ｈ”）であることに基づき、データ復元部２１３から供給された初期画像データ信号ＩＴＩＳを選択し、フレームメモリ制御部２１５に出力する。そして、フレームメモリ制御部２１５は、メモリ格納データ選択部２１４から供給された初期画像データ信号ＩＴＩＳに基づくデータを、フレームメモリ２５に書き込む。また、ＰＳＲ出力制御部２１７は、初期画像表示制御信号ＩＣＳが第１の状態（例えば“Ｈ”）であることに基づき、第２ＰＳＲ制御信号ＰＣＳ２が第１の状態（例えば“Ｈ”）となっていることにより、フレームメモリ制御部２１５に、フレームメモリ２５からのデータの読み出しを要求する。
【００４８】
フレームメモリ２５への初期画像データ信号ＩＴＩＳに基づくデータの書き込み完了後（時刻ｔ３０３）、フレームメモリ制御部２１５は、ＰＳＲ出力制御部２１７からの上記要求に応じてフレームメモリ２５からデータを読み出し、該データに基づく初期画像データ信号ＩＴＩＳをＰＳＲ出力制御部２１７に出力する。
【００４９】
ＰＳＲ出力制御部２１７は、フレームメモリ制御部２１５から供給された初期画像データ信号ＩＴＩＳを、出力データ選択部２１８に出力する。そして、出力データ選択部２１８は、第２ＰＳＲ制御信号ＰＣＳ２が第１の状態（例えば“Ｈ”）であることにより、ＰＳＲ出力制御部２１７から供給された初期画像データ信号ＩＴＩＳを選択して、ディスプレイポート出力画像データ信号ＤＯＩＳとして出力する。これにより、表示部２６は、黒画像に替わり初期画像を表示する。このように、画像表示システム１では、ＰＳＲ技術を実現するために設けられるフレームメモリ２５を利用して、ＣＰＵ１１の起動中に、表示部２６に初期画像を表示することができる。
【００５０】
その後、ＣＰＵ１１の起動完了に伴い初期画像表示制御信号ＩＣＳが“Ｌ”に切り替わることで（時刻ｔ３０４）、表示部２６には、第２入力画像データ信号ＩＩＳ２に従った画像が表示されるようになる。
【００５１】
図４は、本発明の一実施形態に係る表示制御方法を示すフローチャートである。かかる表示制御方法は、画像表示システム１の電源投入後に実行される。
【００５２】
同図に示すように、ＣＰＵ１１は、画像表示システム１の電源投入後、当該ＣＰＵ１１が起動中であることを示す第１の状態（例えば“Ｈ”）の初期画像表示制御信号ＩＣＳをメモリ格納データ選択部２１４及びＯＲ回路２１６に出力する（Ｓ４０１）。続いて、データ受信部２１１、背景データ生成部２１２、データ復元部２１３及び処理部２２は、自己の初期設定を行う（Ｓ４０２）。具体的には、データ受信部２１１、背景データ生成部２１２、データ復元部２１３及び処理部２２は、メモリ制御部２４の制御の下で、初期情報記憶部２３から読み出される初期設定に必要なデータに基づき、初期設定を行う。
【００５３】
次に、データ復元部２１３は、背景データ生成部２１２とともに、初期画像データ信号ＩＴＩＳを生成し、メモリ格納データ選択部２１４に出力する（Ｓ４０３）。具体的には、背景データ生成部２１２は、メモリ制御部２４の制御の下で、初期情報記憶部２３から読み出される背景設定データに基づきロゴ背景データを生成し、データ復元部２１３に出力する。データ復元部２１３は、メモリ制御部２４の制御の下で、初期情報記憶部２３から読み出される圧縮された状態のロゴデータを伸長して生成したロゴ画像データを、背景データ生成部２１２から供給されたロゴ背景データに合成し、初期画像データ信号ＩＴＩＳを生成する。データ復元部２１３は、生成した初期画像データ信号ＩＴＩＳを、メモリ格納データ選択部２１４に出力する。
【００５４】
次に、メモリ格納データ選択部２１４は、初期画像表示制御信号ＩＣＳが第１の状態（例えば“Ｈ”）であることに基づき、データ復元部２１３から供給された初期画像データ信号ＩＴＩＳを選択してフレームメモリ制御部２１５に出力する。これにより、フレームメモリ制御部２１５は、初期画像データ信号ＩＴＩＳに基づくデータをフレームメモリ２５に書き込む（Ｓ４０４）。
【００５５】
次に、フレームメモリ制御部２１５は、初期画像データ信号ＩＴＩＳに基づくデータのフレームメモリ２５への書き込みが完了したか否かを判断する（Ｓ４０５）。Ｓ４０５でＮｏの場合、Ｓ４０３に戻り処理を続ける。一方、Ｓ４０５でＹｅｓの場合、フレームメモリ制御部２１５は、第２ＰＳＲ制御信号ＰＣＳ２が第１の状態（例えば“Ｈ”）であることに基づき、ＰＳＲ出力制御部２１７が要求しているフレームメモリ２５からのデータの読み出しを行ない、該データに基づく初期画像データ信号ＩＴＩＳをＰＳＲ出力制御部２１７に出力する（Ｓ４０６）。
【００５６】
次に、ＰＳＲ出力制御部２１７は、フレームメモリ制御部２１５より供給された初期画像データ信号ＩＴＩＳを出力データ選択部２１８に出力する。出力データ選択部２１８は、第２ＰＳＲ制御信号ＰＣＳ２が第１の状態（例えば“Ｈ”）であることに基づき、ＰＳＲ出力制御部２１７より供給された初期画像データ信号ＩＴＩＳを選択して、ディスプレイポート出力画像データ信号ＤＯＩＳとして処理部２２に出力する。これにより、表示部２６は初期画像を表示する（Ｓ４０７）。
【００５７】
次に、メモリ格納データ選択部２１４は、ＣＰＵ１１から出力される初期画像表示制御信号ＩＣＳが、ＣＰＵ１１の起動完了を示す第２の状態（例えば“Ｌ”）に切り替わっているか否かを判断する（Ｓ４０８）。Ｓ４０８においてＮｏの場合、Ｓ４０６に戻り処理を続ける。一方、Ｓ４０８においてＹｅｓの場合、本表示制御方法を終了する。
【００５８】
なお、本表示制御方法終了後においては、メモリ格納データ選択部２１４は、初期画像表示制御信号ＩＣＳが第２の状態（例えば“Ｌ”）であることに基づき、データ受信部２１１から供給される第２入力画像データ信号ＩＩＳ２を選択し、フレームメモリ制御部２１５に出力する。そして、フレームメモリ制御部２１５は、メモリ格納データ選択部２１４から供給された第２入力画像データ信号ＩＩＳ２に基づくデータを、フレームメモリ２５に書き込む。
【００５９】
その後、第２ＰＳＲ制御信号ＰＣＳ２が第１の状態（例えば“Ｈ”）である場合において、ＰＳＲ出力制御部２１７は、フレームメモリ制御部２１５にフレームメモリ２５からのデータの読み出しを要求し、フレームメモリ制御部２１５の下で、フレームメモリ２５から読み出されたデータに基づく画像データ信号を、出力データ選択部２１８に出力する。出力データ選択部２１８は、ＰＳＲ出力制御部２１７から供給された画像データ信号を選択し、ディスプレイポート出力画像データ信号ＤＯＩＳとして処理部２２に出力する。これにより、表示部２６は、入力画像データ信号がフレームメモリ２５に保存された画像を表示する。すなわち、この場合において、画像表示システム１は、ＰＳＲ技術を使用して、表示部２６で静止画像の表示を行う。
【００６０】
一方、第２ＰＳＲ制御信号ＰＣＳ２が第２の状態（例えば“Ｌ”）である場合において、ＰＳＲ出力制御部２１７は、フレームメモリ制御部２１５にフレームメモリ２５からのデータの読み出しを要求しない。また、出力データ選択部２１８は、データ受信部２１１から供給された第２入力画像データ信号ＩＩＳ２を選択し、ディスプレイポート出力画像データ信号ＤＯＩＳとして処理部２２に出力する。これにより、表示部２６は、第２入力画像データ信号ＩＩＳ２に従った画像、すなわち動画を表示する。
【００６１】
上記各実施形態は、本発明を説明するための例示であり、本発明をこれらの実施形態にのみ限定する趣旨ではない。本発明は、その要旨を逸脱しない限り、さまざまな形態で実施することができる。
【００６２】
また、本明細書では、さまざまな実施形態が開示されているが、一の実施形態における特定のフィーチャ（技術的事項）を適宜改良しながら、他の実施形態に追加し、又は該他の実施形態における特定のフィーチャと置換することができ、そのような形態も本発明の要旨に含まれる。
【産業上の利用可能性】
【００６３】
本発明は、画像表示システムの分野に広く利用することができる。
【符号の説明】
【００６４】
１…画像表示システム
１０…送信装置
１１…ＣＰＵ
１２…ＧＰＵ
２０…表示制御装置
２１…ディスプレイポート部
２１１…データ受信部
２１２…背景データ生成部
２１３…データ復元部
２１４…メモリ格納データ選択部
２１５…フレームメモリ制御部
２１６…ＯＲ回路
２１７…ＰＳＲ出力制御部
２１８…出力データ選択部
２２…処理部
２３…初期情報記憶部
２４…メモリ制御部
２５…フレームメモリ
２６…表示部
【図１】
2018128551.tif 000003
【図２】
2018128551.tif 000004
【図３】
2018128551.tif 000005
【図４】
2018128551.tif 000006